(57)【特許請求の範囲】
【請求項１】
第１シート及び第２シートが粘着剤層を介して積層されたラベル基材から形成されており、前記第２シート側を商品に向けて貼付されるラベルであって、
商品に貼着可能な貼着領域と、前記商品に貼着不能で且つ商品の端部から突出させる突出領域と、を有し、
前記貼着領域が複数設けられ、前記各貼着領域は、離れて独立しており、
前記複数の貼着領域から選ばれる少なくとも１つの貼着領域における前記第２シートの所定部分を分離するための切込み線が前記第２シートに形成されており、
前記所定部分に対応した前記第１シートと第２シートの層間に、剥離層が設けられている、ことを特徴とするＰＯＰラベル。
【請求項２】
前記複数の貼着領域には、前記切込み線が形成されていない貼着領域が少なくとも１つ含まれる、請求項１に記載のＰＯＰラベル。
【請求項３】
第１シート及び第２シートが粘着剤層を介して積層されたラベル基材から形成されており、前記第２シート側を商品に向けて貼付されるラベルであって、
商品に貼着可能な貼着領域と、前記商品に貼着不能で且つ商品の端部から突出させる突出領域と、を有し、
前記貼着領域における前記第２シートの所定部分を分離するための切込み線が前記第２シートに形成されており、
前記所定部分に対応した前記第１シートと第２シートの層間であって、前記所定部分内の一部分を除いて、剥離層が設けられており、
前記所定部分内の一部分と第１シートが前記粘着剤層を介して部分的に接着されている、ことを特徴とするＰＯＰラベル。
【発明の詳細な説明】
【技術分野】
【０００１】
本発明は、商品の端部から突出するように貼着できるＰＯＰラベルに関する。
【背景技術】
【０００２】
飲料、菓子、化粧品、薬、洗剤、シャンプーなどの様々な物品が容器や箱などに包装され、商品として流通している。
これら商品には、広告宣伝及び原材料表示などのため、ラベルが貼着されている。
このラベルの中で、主として消費者の注意を惹き且つ広告宣伝機能を高めるため、一部分を商品の端部から突出させた状態で貼着できるＰＯＰラベルが知られている（特許文献１）。ＰＯＰラベルは、アイキャッチラベルとも呼ばれる。
ＰＯＰラベルは、一般に所定形状のラベル基材から形成されており、商品の一部分に貼着可能な貼着領域と、商品の端部から外側へ突出させる突出領域と、を有する。
この貼着領域を商品に貼着することにより、ＰＯＰラベルの一部分である突出領域が商品の外側に突出するので、デザインの表示面積が拡大すると共に商品が大きく見え、消費者の注意を惹き付けることができる。
【０００３】
広告宣伝の対象である商品は、それ自体にデザインを施すスペースに限界があるが、上記ＰＯＰラベルを貼り付けることにより、広告宣伝スペースの増大を図ることができる。
ところで、商品には、消費者の注意を惹くための広告宣伝的な表示だけでなく、商品の使用説明、物品の原材料、商品名及び製造元などの表示も表される。以下、本明細書において、消費者の注意を惹くための広告宣伝的な表示を「広告宣伝表示」といい、前記例示のような広告宣伝目的でない表示を「非広告宣伝表示」という。
よって、商品には、広告宣伝表示だけでなく、非宣伝広告表示も十分に施されていなければならない。
【０００４】
しかしながら、上述のように商品自体の表示スペースは限界がある上、その商品に貼着されるＰＯＰラベルの大きさ自体にも限界がある。
それ故、さらに表示スペースを増大させることができるＰＯＰラベルが求められている。
【先行技術文献】
【特許文献】
【０００５】
【特許文献１】特開２００２−３５１３３３
【発明の概要】
【発明が解決しようとする課題】
【０００６】
本発明の目的は、表示スペースのさらなる増大を図ることができるＰＯＰラベルを提供することである。
【課題を解決するための手段】
【０００７】
本発明者らは、ＰＯＰラベルの特性に着目した。すなわち、消費者がＰＯＰラベル付きの商品を使用する際には、商品の外形よりも大きいＰＯＰラベルが却って邪魔になるため、ＰＯＰラベルを引き剥がして廃棄する。このＰＯＰラベルが引き剥がされた後にも、商品に所望の表示が付随するようにすれば、廃棄前後でも消費者に所望の表示を見せることができるので、結果的に表示スペースの増大を図ることができる。このような考えの下、本発明者らは、以下の手段を案出した。
【０００８】
本発明の第１のＰＯＰラベルは、第１シート及び第２シートが粘着剤層を介して積層されたラベル基材から形成されており、第２シート側を商品に向けて貼着されるＰＯＰラベルであって、商品に貼着可能な貼着領域と、前記商品に貼着不能で且つ商品の端部から突出させる突出領域と、を有し、前記貼着領域が複数設けられ、前記各貼着領域は、離れて独立しており、前記複数の貼着領域から選ばれる少なくとも１つの貼着領域における前記第２シートの所定部分を分離するための切込み線が前記第２シートに形成されており、前記所定部分に対応した前記第１シートと第２シートの層間に、剥離層が設けられている。
本発明の好ましいＰＯＰラベルは、前記複数の貼着領域には、前記切込み線が形成されていない貼着領域が少なくとも１つ含まれる。
【０００９】
本発明の第２のＰＯＰラベルは、第１シート及び第２シートが粘着剤層を介して積層されたラベル基材から形成されており、前記第２シート側を商品に向けて貼付されるＰＯＰラベルであって、商品に貼着可能な貼着領域と、前記商品に貼着不能で且つ商品の端部から突出させる突出領域と、を有し、前記貼着領域における前記第２シートの所定部分を分離するための切込み線が前記第２シートに形成されており、前記所定部分に対応した前記第１シートと第２シートの層間であって、前記所定部分内の一部分を除いて、剥離層が設けられており、前記所定部分内の一部分と第１シートが前記粘着剤層を介して部分的に接着されている。
【発明の効果】
【００１０】
本発明のＰＯＰラベルは、その突出領域が商品の端部から突出し且つ貼着領域が商品の一面に貼着するように位置合わせすることによって、商品に貼着される。この突出領域を含むＰＯＰラベルを商品から引き剥がすと、第２シートの所定部分が切取り線に従って分離され、それが商品に貼り付いたままで残存する。従って、本発明のＰＯＰラベルを用いれば、そのラベルが商品に貼着されている間は、そのラベル全体において広告宣伝表示などの所望の表示を消費者に見せることができ、それが剥がされた後は、所定部分が商品に付随して残るので、その所定部分に表された所望の表示を消費者に見せることができる。
よって、本発明のＰＯＰラベルは、さらなる表示スペースの増大を図ることができる。
【図面の簡単な説明】
【００１１】
【図１】第１実施形態に係るＰＯＰラベルの複数が離型紙上に貼付されたラベル連続体の正面図。
【図２】同ＰＯＰラベルのみを背面から見た拡大図。判りやすく図示するため、貼着領域を網掛けで示している（図９、図１６〜図１８も同様に、貼着領域を網掛けで示している）。
【図３】図１のＩＩＩ−ＩＩＩ線で切断した拡大断面図。
【図４】図１のＩＶ−ＩＶ線で切断した拡大断面図。
【図５】同ＰＯＰラベルがキャップ付き容器（商品）に貼着されたラベル付き商品の正面図。
【図６】同ラベル付き商品の右側面図。
【図７】同ラベル付き商品からＰＯＰラベルを引き剥がした状態を示す正面図。
【図８】第２実施形態に係るＰＯＰラベルの複数が離型紙上に貼付されたラベル連続体の正面図。
【図９】同ＰＯＰラベルのみを背面から見た拡大図。
【図１０】図８のＸ−Ｘ線で切断した拡大断面図。
【図１１】図８のＸＩ−ＸＩ線で切断した拡大断面図。
【図１２】図８のＸＩＩ−ＸＩＩ線で切断した拡大断面図。
【図１３】同ＰＯＰラベルがトリガースプレー容器（商品）に貼着されたラベル付き商品の正面図。
【図１４】同ラベル付き商品の右側面図。
【図１５】同ラベル付き商品からＰＯＰラベルを引き剥がした状態を示す正面図。
【図１６】他の実施形態に係るＰＯＰラベルの背面図。
【図１７】更なる他の実施形態に係るＰＯＰラベルの背面図。
【図１８】更なる他の実施形態に係るＰＯＰラベルの背面図。
【発明を実施するための形態】
【００１２】
＜第１実施形態＞
以下、本発明の第１実施形態について、図面を参照しつつ具体的に説明する。
図１〜図４に於いて、本発明のＰＯＰラベル１は、第１シート２１及び第２シート２２が粘着剤層３１を介して積層されたラベル基材２から形成されており、このラベル１は、第２シート２２側を商品に対面させて貼着される。
このＰＯＰラベル１は、商品に装着されるときの商品との位置関係に従って区分けすると、商品の一面に面し且つ商品の一面に貼着可能な貼着領域Ｓ１，Ｓ２と、商品に貼着不能で且つ商品の端部から突出させる突出領域Ｔと、を有する。
【００１３】
ラベル基材２の貼着領域Ｓ１において、その第２シート２２のみに切込み線４が設けられている。この切込み線４によって区画された、第２シート２２の所定部分２２ａは、第２シート２２のその他の部分２２ｂから分離可能である。
前記所定部分２２ａに対応した第１シート２１と第２シート２２の層間には、剥離層５が設けられている。この第２シート２２の所定部分２２ａは、ＰＯＰラベル１を商品から引き剥がした後、その商品に残存するラベルの残存部分である。
ＰＯＰラベル１は、通常、帯状の離型紙８の長手方向に向きを揃えて順に貼付されている。本発明のＰＯＰラベル１は、図１に示すように、その複数が離型紙８の一面上に貼付されたラベル連続体の態様で、通常提供される。
【００１４】
ＰＯＰラベル１の全体的な形状は特に限定されず、図１及び図２のような平面視略矩形状、図示しないが、平面視略円形状、平面視略楕円形状、平面視略三角形状、平面視略Ｔ字状などの任意の形状に形成できる。なお、平面視の形状は、ラベル基材２の表面の法線方向から見た形状を意味する。ここで、本明細書において、裏面は、商品と対面する側の面（つまり、ＰＯＰラベル１を商品に貼着したときに、商品に近い側の面）を指し、表面は、その裏面とは反対側の面を指す。
【００１５】
ＰＯＰラベル１を形成するラベル基材２は、表面側から順に、第１シート２１、粘着剤層３１、第２シート２２及び粘着剤層３２が積層された積層体からなる。以下、第１シート２１の裏面と第２シート２２の表面の間に設けられた粘着剤層３１を第１粘着剤層といい、第２シート２２の裏面に設けられた粘着剤層３２を第２粘着剤層という。
さらに、第１シート２１と第２シート２２の間には、剥離層５が部分的に設けられ、第２粘着剤層３２の裏面には、隠蔽層６が部分的に設けられている。
【００１６】
第１シート２１及び第２シート２２は、それぞれシート材（一般にフィルムと呼ばれるものも同義である）から形成されている。このシート材としては、例えば、紙、合成紙、合成樹脂製シート、金属蒸着シート、発泡樹脂シート、及びこれらが２層以上積層された積層シートなどが挙げられる。合成樹脂製シート等の材質は特に限定されず、例えば、ポリエチレン、ポリプロピレン、環状オレフィン、ポリエチレンを含む共重合ポリマーなどのポリオレフィン系、ポリエチレンテレフタレート、ポリ乳酸などのポリエステル系、ポリアミド系、ポリスチレン系などが挙げられる。合成樹脂製シートは、後述するデザインを裏面に施す場合には、それを良好に視認できるようにするため、透明なものが好ましい。
【００１７】
第１シート２１及び第２シート２２の厚みは、特に限定されず、通常、それぞれ３０μｍ〜１５０μｍ程度である。
第１シート２１及び第２シート２２は、同一材料のシート材でもよいし、異なる材料からなるシート材でもよいし、同じ厚みのシート材でもよいし、或いは、異なる厚みのシート材でもよい。
【００１８】
第１シート２１の表面又は裏面には、所望のデザインを表す意匠印刷（図示せず）が施されている。第１シート２１の意匠印刷のデザインは、特に限定されないが、好ましくは広告宣伝表示を含み、必要に応じて非広告宣伝表示も含んでいてもよい。第１シート２１が透明である場合には、意匠印刷の傷付き防止のため、前記意匠印刷は、第１シート２１の裏面に施すことが好ましい。
【００１９】
第２シート２２の少なくとも所定部分２２ａの表面又は裏面には、所望のデザインを表す意匠印刷（図示せず）が施されている。第１シート２１が第２シート２２に積層された状態においては、前記所定部分２２ａのデザインは、第１シート２１の表面側から見えないようになっている。すなわち、第１シート２１が不透明なシート材からなる又は第１シート２１に施された意匠印刷によって、所定部分２２ａのデザインは、第１シート２１の表面側から透視不能とされている。一方、所定部分２２ａのデザインは、第１シート２１を除去した後に、所定部分２２ａの表面側から良好に視認できる。
第２シート２２の意匠印刷のデザインは、特に限定されないが、好ましくは非広告宣伝表示を含み、必要に応じて広告宣伝表示も含んでいてもよい。
第２シート２２が透明である場合には、意匠印刷の傷付き防止のため、前記意匠印刷は、第２シート２２の裏面に施すことが好ましい。
【００２０】
第１粘着剤層３１は、第１シート２１と第２シート２２を接着するために設けられている。
第１粘着剤層３１は、第１シート２１の裏面に粘着剤を塗布することによって設けられている。なお、本実施形態では、第１シート２１の裏面に第１粘着剤層３１が設けられている。もっとも、第２シート２２の表面に第１粘着剤層３１を設けても、第１シート２１及び第２シート２２を接着できることには変わりがない。つまり、第１粘着剤層３１は、第１シート２１の裏面及び第２シート２２の表面の少なくとも何れか一方の面に設けられていればよい。ただし、第１シート２１を第２シート２２の所定部分２２ａから剥がしたときに、所定部分２２ａの表面に粘着剤が残らないようにするため、第１粘着剤層３１は第１シート２１と共に所定部分２２ａから剥がれるようになっていることが好ましい。
以下では、第１シート２１の裏面に第１粘着剤層３１が設けられている場合を例に採って説明していく。
【００２１】
第１粘着剤層３１は、第１シート２１の裏面全体に設けられている。例えば、第１シート２１の裏面全体に粘着剤をベタ状に塗布する、又は、第１シート２１の裏面全体に粘着剤を網目状若しくは無数のドット状に塗布することによって、第１シート２１の裏面全体に第１粘着剤層３１を設けることができる。
【００２２】
かかる第１粘着剤層３１によって、第１シート２１と第２シート２２は、剥離層５が設けられた部分を除いて、強く接着している。なお、前記強く接着とは、手で剥がそうとしてしても簡単に剥がれない程度に接着しているという意味である。
前記第１粘着剤層３１を形成するための粘着剤としては、感圧型粘着剤が好ましいが、感熱型粘着剤を用いることもできる。なお、感圧型粘着剤は、室温で粘着力を有し且つその粘着力が長期間持続している粘着剤であり、従来公知のタックラベルで広く使用されているものである。感熱型粘着剤は、室温で粘着性を示さず、加熱することにより粘着力を発揮し且つその粘着力が長期間持続する粘着剤である。
【００２３】
第２粘着剤層３２は、ＰＯＰラベル１を商品に貼着するために設けられている。
第２粘着剤層３２は、第２シート２２の裏面に粘着剤を塗布することによって設けられている。
本実施形態では、第２粘着剤層３２は、第２シート２２の裏面全体に設けられている。例えば、第２シート２２の裏面全体に粘着剤をベタ状に塗布する、又は、第２シート２２の裏面全体に粘着剤を網目状若しくは無数のドット状に塗布することによって、第２シート２２の裏面全体に第２粘着剤層３２を設けることができる。
前記第２粘着剤層３２を形成するための粘着剤としては、第１粘着剤層３１と同様に、従来公知の感圧型粘着剤が好ましいが、感熱型粘着剤を用いることもできる。なお、第２粘着剤層３２が感熱型粘着剤である場合には、本発明のＰＯＰラベル１は離型紙８に貼付しないでラベラーに装填することもできる。
【００２４】
さらに、第２粘着剤層３２の裏面には、第２粘着剤層３２の粘着力を隠蔽するための隠蔽層６が部分的に設けられている。
隠蔽層６は、第２粘着剤層３２の裏面内（第２シート２２の面内）において離れて独立した複数の部分を除き、第２粘着剤層３２の裏面に隠蔽層形成材料をベタ状に塗工することによって形成されている。前記隠蔽層形成材料としては、紫外線硬化型インキ、シリコーンを含むコート剤などが挙げられる。隠蔽層６の厚みは、通常、３μｍ〜２０μｍである。隠蔽層６を比較的厚く形成することにより、第２粘着剤層３２の粘着力を確実に隠蔽できる。
前記隠蔽層６が設けられた部分は、商品に貼着不能な部分である。この隠蔽層６が設けられた部分のうち、貼着領域Ｓ１，Ｓ２を介してＰＯＰラベル１を商品に貼着したときにその商品の端部から突出する領域が、ＰＯＰラベル１の突出領域Ｔである。
【００２５】
前記隠蔽層６が設けられていない、独立した複数の部分においては、第２粘着剤層３２の裏面が露出している。図２の網掛けが第２粘着剤層３２が露出した部分であり、よって、図２の無地が隠蔽層６が設けられた部分である。前記第２粘着剤層３２の裏面が露出した部分が商品に貼り付くので、その部分を介してＰＯＰラベル１を商品に貼着できる。つまり、その部分に対応した領域が、ＰＯＰラベル１の貼着領域Ｓ１，Ｓ２である。
【００２６】
本実施形態では、離れて独立した貼着領域Ｓ１，Ｓ２が、２箇所形成されている。以下、便宜上、両者を区別するために、第１貼着領域及び第２貼着領域という。
もっとも、前記貼着領域Ｓ１，Ｓ２は、２箇所に限定されず、３箇所以上形成されていてもよいし、後述するように、１箇所だけ形成されていてもよい。
【００２７】
第１貼着領域Ｓ１は、ラベル基材２の略中央部から下方全部である。
第２貼着領域Ｓ２は、ラベル基材２の略中央部において、一方の側端から他方の側端にまで形成された横長の帯状部である。
第１貼着領域Ｓ１と第２貼着領域Ｓ２は連続しておらず、第１貼着領域Ｓ１と第２貼着領域Ｓ２の間には、隠蔽層６が介在している。従って、第２貼着領域Ｓ２と第１貼着領域Ｓ１の間の領域Ｍは、商品に対して貼着不能である。
【００２８】
前記第１貼着領域Ｓ１は、ラベル基材２の一部の領域であるため、第１基材及び第２基材を有するが、その第１貼着領域Ｓ１の範囲内における第２シート２２の所定部分２２ａを分離するために、第２シート２２に切込み線４が形成されている。
この切込み線４は、粘着剤が露出した部分である第１貼着領域Ｓ１の周縁よりも内側寄りの位置に形成されている。例えば、切込み線４は、第１貼着領域Ｓ１の範囲内に形成され、その平面視形状が、横長の長方形状に形成されている。従って、切込み線４の内側部分（所定部分２２ａ）だけでなく、切込み線４の外側近傍にも第２粘着剤層３２の裏面が露出している。
【００２９】
切込み線４は、第２シート２２及び第２粘着剤層３２を厚み方向に切断した切り目の連続線である。本実施形態では、切込み線４は、無端状である。この無端状の切込み線４から形成される所定部分２２ａの形状は、第１貼着領域Ｓ１の貼着対象である商品の一面の形状と同じ又はその形状よりも小さいことが好ましい。一方、第２貼着領域Ｓ２には、前記切込み線４は形成されていない。もっとも、第２貼着領域Ｓ２にも同様の切込み線を形成してもよい。
【００３０】
また、第１貼着領域Ｓ１には、第１貼着領域Ｓ１を２分するためのミシン目線７９が形成されている。このミシン目線７９は、ラベル基材２（少なくとも第１シート２１及び第２シート２２）の厚み方向に貫通する貫通孔が断続的に形成された線である。ミシン目線７９は、切込み線４と交差せず且つ第１貼着領域Ｓ１を２分するように、一方の側端から他方の側端にまで横方向に延びている。なお、図１、図５及び６においては、隠れ線と区別するために、ミシン目線を二点鎖線で表している。
【００３１】
第２シート２２は、第１粘着剤層３１を介して第１シート２１に強く接着しているため、前記切込み線４を形成しただけでは、前記切込み線４によって囲われた第２シート２２の所定部分２２ａを、第２シート２２のその他の部分２２ｂから分離することはできない。この第２シート２２の所定部分２２ａを第２シート２２のその他の部分２２ｂから分離できるようにするために、前記所定部分２２ａに対応した前記第１シート２１と第２シート２２の層間に剥離層５が設けられている。
【００３２】
剥離層５は、第１粘着剤層３１の粘着力を弱める層である。剥離層５は、所定部分２２ａに対応した第２シート２２の表面又は所定部分２２ａに対応した第１粘着剤層３１の裏面に設けられている。好ましくは、剥離層５は、所定部分２２ａに対応した第２シート２２の表面に設けられている。このように第２シート２２の表面に剥離層５を設けておくと、第１シート２１を第２シート２２の所定部分２２ａから剥がした後、第２シート２２の所定部分２２ａの表面に剥離層５が付着したままで残るので、その剥離層５が所定部分２２ｂの表面を保護する保護膜として機能する。さらに、第１シート２１に第１粘着剤層３１を設け且つ第２シート２２の表面に剥離層５を設けることにより、消費者がＰＯＰラベル１を引き剥がすまで、所定部分２２ａを第１シート２１に対して安定的に付着させておくことができる。
また、剥離層５は、少なくとも所定部分２２ａに対応して設けられていればよく、所定部分２２ａから僅かに外側にはみ出ていてもよい。
【００３３】
なお、第１粘着剤層３１が第２シート２２の表面に設けられている場合には、前記剥離層５は、所定部分２２ａに対応した第１シート２１の裏面又は所定部分２２ａに対応した第１粘着剤層３１の表面に設けられる。
【００３４】
剥離層５は、例えば、切込み線４で囲われた第２シート２２の表面に剥離層形成材料をベタ状に塗工することによって形成できる。また、切込み線４で囲われた部分だけでなく切込み線４の外側近傍領域を含んで剥離層形成材料を塗工することにより、所定部分２２ａから僅かに外側にはみ出だした剥離層５を形成できる。実際のＰＯＰラベル１の製造工程では、剥離層５を形成した後に切込み線４が形成されるが、切込み線４の形成位置が少しずれることがあるからである。
【００３５】
剥離層形成材料としては、例えば、シリコーン、フッ素化合物、ワックス類などの剥離剤を含有するインキ（着色剤を含まない所謂メジウムインキなど）などを用いることができる。
剥離層５や隠蔽層６の形成材料としてインキを用いれば、公知の印刷法によってそれらを容易に形成できる。
剥離層５の厚みは、特に限定されないが、第１粘着剤層３１の粘着力を弱めるために、１μｍ〜３μｍが好ましい。
【００３６】
なお、前記剥離層５が第２シート２２の所定部分２２ａと第１シート２１の間に設けられているが故に、ＰＯＰラベル１を離型紙８から引き剥がすときに前記所定部分２２ａが分離して、前記所定部分２２ａのみが離型紙８の上に残るおそれがある。或いは、所定部分２２ａと第１シート２１及び他の部分２２ｂとが自然に離反するおそれがある。
このような事態を防止するために、前記第２シート２２の所定部分２２ａを仮止めする仮止め手段が設けられている。
本実施形態では、仮止め手段として、所定部分２２ａの面内の一部分に剥離層５を設けず、第２シート２２の所定部分２２ａ内の一部分と第１シート２１とを第１粘着剤層３１を介して部分的に接着させている。以下、所定部分２２ａ内の一部分と第１シート２１とを接着させた箇所を「部分接着部」という。
【００３７】
この部分接着部７１は、第２シート２２の所定部分２２ａの面内に設けられていれば、その位置や数は特に限定されない。
前記所定部分２２ａは切込み線４（つまり、所定部分２２ａの周縁）から第２シート２２のその他の部分２２ｂと分離し始めるので、部分接着部７１の形成位置は、所定部分２２ａの周縁近傍であることが好ましい。
また、長尺状の離型紙８上に並んで貼付されたＰＯＰラベル１は、離型紙８の先端側Ｘに対応したＰＯＰラベル１の縁部から引き剥がされるので、部分接着部７１の形成位置は、前記所定部分２２ａの周縁近傍であって離型紙８の長手方向の先端側Ｘであることがより好ましい。
【００３８】
さらに、部分接着部７１の形成数は、少なくとも１箇所であるが、その数が多ければそれに応じて所定部分２２ａの分離を確実に防止できるので、２箇所以上が好ましい。もっとも、部分接着部７１を余りに多く設けると、商品に貼着したＰＯＰラベル１を引き剥がすときに、所定部分２２ａが商品に残存しなくなるおそれがある。このような点から、前記部分接着部７１の形成数は、４箇所以下が好ましい。
【００３９】
本実施形態では、部分接着部７１は２箇所形成されており、その一方の部分接着部７１は、所定部分２２ａの周縁近傍であって離型紙８の長手方向の先端側Ｘに配置され、且つ、その他方の部分接着部７１は、前記所定部分２２ａの周縁近傍であって離型紙８の長手方向の先端とは反対側Ｙに配置されている。
１つの部分接着部７１の平面視形状は、特に限定されず、本実施形態では、略円形状とされている。１箇所の部分接着部７１の面積も特に限定されないが、余りに大きいと相対的に剥離層５の面積が小さくなり過ぎるので、通常、１ｍｍ２〜１０ｍｍ２程度が好ましい。
【００４０】
本発明のＰＯＰラベル１は、通常、その複数が離型紙８上に貼付されたラベル連続体（図１参照）をロールに巻いた態様でラベラーに装填される。ラベラーは、そのロールからラベル連続体を離型紙８の先端から長手方向に引き出しながら１枚のＰＯＰラベル１を離型紙８から引き剥がし、そのＰＯＰラベル１の貼着領域Ｓ１，Ｓ２を商品の一面に貼り付ける工程を繰り返して行う。
【００４１】
離型紙８から引き剥がされたＰＯＰラベル１は、第１貼着領域Ｓ１及び第２貼着領域Ｓ２において第２粘着剤層３２が露出している。突出領域Ｔを商品の端部から外側へ突出するように、第１貼着領域Ｓ１及び第２貼着領域Ｓ２を商品の任意の一面に貼着することにより、ＰＯＰラベル１を商品に貼着できる。なお、商品の端部とは、貼着領域Ｓ１を介して貼着されたＰＯＰラベル１と商品とが接触した部分と接触していない部分の境界を意味する。
ＰＯＰラベル１を貼着する商品は、特に限定されず、飲料や調味料などの食品が充填され容器、医薬品又は化粧品が充填された容器、その他の容器、各種物品を包装した包装箱などが挙げられる。
【００４２】
本実施形態で例示したＰＯＰラベル１は、商品の一例であるキャップ付き容器に貼着するために好適な形態である。
図５及び図６は、一般的なキャップ付き容器９１に前記ＰＯＰラベル１が貼着されたラベル付き商品１０を示す。
このキャップ付き容器９１は、収納部が形成された容器本体９１１と、前記容器本体９１１の上方に取り付けられたキャップ９１２と、を有する。この収納部内には、一般に、化粧品などが収納されている。このキャップ９１２の表面には、デザインが表示されていないか、又は一部分だけにデザインが表示されている。容器本体９１１の表面には、デザインが表示されている。
【００４３】
図示したラベル付き商品１０は、キャップ９１２の下方にＰＯＰラベル１のミシン目線７９を位置合わせし、ＰＯＰラベル１をキャップ付き容器９１の周囲に巻き付けるように湾曲させることによって得られる。
得られたラベル付き商品１０は、容器本体９１１とキャップ９１２に跨ってＰＯＰラベル１の第１貼着領域Ｓ１が貼着され、且つ、キャップ９１２の上方にＰＯＰラベル１の第２貼着領域Ｓ２が貼着されている。このように本発明のＰＯＰラベル１は、独立した第１貼着領域Ｓ１及び第２貼着領域Ｓ２を、１つの商品の中の異なる部分の面に貼着できる。
前記一部分にデザインが表示されているキャップ９１２である場合、ＰＯＰラベル１の第１貼着領域Ｓ１及び第２貼着領域Ｓ２は、キャップ９１２のデザインが表示されていない部分に対応するように位置合わせして貼着される。
【００４４】
一方、このＰＯＰラベル１の突出領域Ｔは、キャップ付き容器９１に接着しておらず、キャップ９１２の外形から外側に突出している。なお、ＰＯＰラベル１の第２貼着領域Ｓ２の上方と第１貼着領域Ｓ１の間の領域Ｍには、隠蔽層６が設けられているので、その間の領域Ｍは、キャップ付き容器９１に接着していないが、その領域Ｍは、容器９１の外形から外側には出ていない。
【００４５】
このＰＯＰラベル１をキャップ付き容器９１から引き剥がすと、剥離層５及び切込み線４によって第２シート２２の所定部分２２ａがＰＯＰラベル１から分離され、キャップ９１２の表面に貼り付いたままで残存する（図７参照）。
本発明のラベル付き商品１０によれば、消費者がその商品を購入後にＰＯＰラベル１を引き剥がしても、商品の一面にＰＯＰラベル１の一部（所定部分２２ａ）が残るため、その所定部分２２ａに表された所望の表示（例えば商品の使用説明など。図７の×××で示す）を商品に付随させ、消費者に見せることができる。また、ＰＯＰラベル１を商品から引き剥がすと、必然的に突出領域Ｔが商品から除去される一方で、残存する所定部分２２ａは商品の一面の範囲内に貼り付いているので、その商品の使用上、残存部分が邪魔になることもない。また、キャップ９１２にデザインが表示されていても、残存する所定部分２２が、そのデザインを隠すこともない。
【００４６】
本発明のＰＯＰラベル１を用いれば、それが商品に貼着されている間は、ＰＯＰラベル全体において広告宣伝表示などの所望の表示を消費者に見せることができ、それが剥がされた後は、所定部分が商品に付随しているので、その所定部分に表された所望の表示を消費者に見せることができる。よって、本発明のＰＯＰラベル１を用いれば、表示スペースのさらなる増大を図ることができる。
【００４７】
さらに、上記ＰＯＰラベル１は、第１貼着領域Ｓ１とは独立した第２貼着領域Ｓ２が設けられているので、第１シート２１と所定部分２２ａの層間が離れることによって第１シート２１及び第２シート２２の他の部分２２ｂが商品から不用意に外れることを防止できる。特に、第２貼着領域Ｓ２は、突出領域Ｔと第１貼着領域Ｓ１の間において、第１貼着領域Ｓ１とは独立して設けられているので、例えば、貼着領域Ｓ１又は貼着領域Ｓ２のいずれか一方にそれを商品から剥がすような衝撃が加わった際に、その衝撃が他方に伝搬することを緩和でき、前記第１シート２１及び第２シート２２の他の部分２２ｂが商品から不用意に外れることを効果的に防止できる。
【００４８】
なお、ＰＯＰラベル１を剥ぎ取る前に、ＰＯＰラベル１と共にキャップ９１２を回せば、ミシン目線７９に沿って、ＰＯＰラベル１の第１貼着領域Ｓ１を分断できる。このように第１貼着領域Ｓ１を分断した後、キャップ９１２に貼着されているＰＯＰラベル１の残部を引き剥がしてもよい。ミシン目線７９が設けられていると、このような開封方法ができる上、所定部分２２だけでなく、ミシン目線７９よりも下方側にある第１貼着領域Ｓ１の一部分を、容器本体９１１に貼着したままで残すこともできる。
【００４９】
＜第２実施形態＞
次に、本発明の第２実施形態を説明する。以下、本発明の第２実施形態を説明するが、上記第１実施形態と同様の構成については、説明を省略し、用語及び符号をそのまま援用する場合がある。
【００５０】
図８〜図１２は、第２実施形態のＰＯＰラベル１を示す。なお、図８及び図１０〜図１２においては、第１実施形態と同様に、ＰＯＰラベル１が離型紙上に貼付された状態で示している。
第２実施形態のＰＯＰラベル１も、表面側から順に、第１シート２１、第１粘着剤層３１、第２シート２２及び第２粘着剤層３２が積層されたラベル基材２から形成されている。第１シート２１と第２シート２２の間には、剥離層５が部分的に設けられ、第２粘着剤層３２の裏面には、隠蔽層６が部分的に設けられている。
このＰＯＰラベル１は、同様に、２つの貼着領域Ｓ１，Ｓ２を有するが、その形状及び配置が第１実施形態と異なっている。
【００５１】
図９の網掛けに示す部分が第２粘着剤層３２が露出した部分であり、この部分が、第１及び第２貼着領域Ｓ１，Ｓ２である。
第１貼着領域Ｓ１は、ラベル基材２の一方の側端寄りに形成され、その一方の側端と略平行に延びた横長の帯状である。
第２貼着領域Ｓ２は、ラベル基材２の中央部から他方の側端にまで形成された縦長の帯状である。
第１貼着領域Ｓ１と第２貼着領域Ｓ２は連続しておらず、第１貼着領域Ｓ１と第２貼着領域Ｓ２の間には、隠蔽層６が介在している。従って、第２貼着領域Ｓ２の上方と第１貼着領域Ｓ１の間の領域Ｍは、商品に対して貼着不能である。
【００５２】
切込み線４は、無端状であり、その切込み線４から形成される所定部分２２ａの形状は、第１貼着領域Ｓ１の貼着対象である商品の一面の形状と同じ又はその形状よりも小さいことが好ましい。本実施形態では、後述するように、第１貼着領域Ｓ１をトリガースプレー容器のケース体の一面に貼着するので、切込み線４は、そのケース体の外形よりも小さな形状に形成されている。
【００５３】
切込み線４は、粘着剤が露出した部分である第１貼着領域Ｓ１の周縁よりも内側寄りで、その周縁形状に沿って形成されている。例えば、切込み線４は、第１貼着領域Ｓ１の範囲内に形成され、その平面視形状が、第１貼着領域Ｓ１の平面視形状よりも僅かに小さい相似形に形成されている。従って、切込み線４の内側部分（所定部分２２ａ）だけでなく、切込み線４の外側近傍にも第２粘着剤層３２の裏面が露出している。
【００５４】
前記切込み線４は、第２粘着剤層３２が露出した部分である第１貼着領域Ｓ１の周縁よりも内側に形成されているが、これに限られず、切込み線４は、第１貼着領域Ｓ１においてその周縁に一致して形成されていてもよいし、或いは、第１貼着領域Ｓ１においてその周縁よりも僅かに外側に形成されていてもよい。例えば、切込み線４が、第１貼着領域Ｓ１の周縁よりも外側に形成されていてもよい（これは、切込み線４が、第１貼着領域Ｓ１の範囲外に形成され、その平面視形状が、第１貼着領域Ｓ１の平面視形状よりも僅かに大きい相似形などに形成される場合を含む）。
【００５５】
もっとも、切込み線４が第１貼着領域Ｓ１の周縁形状に一致するように精度良く形成することは、ラベル製造上、困難である。また、切込み線４が第１貼着領域Ｓ１の周縁形状に一致し又は第１貼着領域Ｓ１の周縁よりも外側に形成されていると、第１貼着領域Ｓ１の全体が切込み線４で囲われた範囲内のみとなるので、第１貼着領域Ｓ１を商品の一面に貼った後、ＰＯＰラベル１を引き剥がす行為を行わなくても、所定部分２２ａが自然に第２シート２２から分離したり、或いは、位置ずれを起こす可能性がある。このような理由から、切込み線４は、上述のように第１貼着領域Ｓ１においてその周縁よりも内側に形成されていることが好ましい。
【００５６】
前記所定部分２２ａに対応した前記第１シート２１と第２シート２２の層間に剥離層５が設けられている。
また、前記所定部分２２ａのみが離型紙８の上に残ることを防止するために、前記第２シート２２の所定部分２２ａを仮止めする仮止め手段（例えば、部分接着部７１）が設けられている。
なお、本実施形態のＰＯＰラベル１には、ミシン目線が形成されていないが、適宜ミシン目線を形成してもよい。
【００５７】
本実施形態のＰＯＰラベル１は、商品の一例であるトリガースプレー容器に貼着するために好適な形態である。
図１３及び図１４は、一般的なトリガースプレー容器９２に前記ＰＯＰラベル１が貼着されたラベル付き商品１０を示す。
このトリガースプレー容器９２は、収納部が形成された容器本体９２１と、前記容器本体９２１の上方に取り付けられたトリガースプレー部９２２と、を有する。この収納部内には、一般に、洗剤などのサニタリー品、香水などの化粧品、消毒液などの医療品などの各種の液状物品が充填されている。
トリガースプレー部９２２は、前記容器本体９２１に取り付けるための取付け部９２２ａと、前記取付け部９２２ａの上方に設けられたケース体９２２ｂと、前記ケース体９２２ｂの前方に突設されたレバー付き噴射部９２２ｃと、を有する。なお、前記取付け部９２２ａの直径は、前記ケース体９２２ｂの幅よりも大きく、従って、取付け部９２２ａとケース体９２２ｂの間には、段差（又は窪み）が存在している。
【００５８】
図示したラベル付き商品１０は、前記ケース体９２２ｂの表面にＰＯＰラベル１の第１貼着領域Ｓ１が貼着され、且つ、取付け部９２２ａの表面にＰＯＰラベル１の第２貼着領域Ｓ２が貼着されている。このように独立した第１貼着領域Ｓ１及び第２貼着領域Ｓ２は、１つの商品の中の異なる部分の面に貼着できる。
一方、このＰＯＰラベル１の突出領域Ｔは、トリガースプレー容器９２に接着しておらず、ケース体９２２ｂ及び取付け部９２２ａの外形から外側に突出している。なお、ＰＯＰラベル１の第２貼着領域Ｓ２の上方と第１貼着領域Ｓ１の間の領域Ｍには、隠蔽層６が設けられているので、その間の領域Ｍは、トリガースプレー容器９２に接着していないが、ケース体９２２ｂ及び取付け部９２２ａの外形から外側に出ていない。取付け部９２２ａとケース体９２２ｂの間には上述のように段差又は窪みが存在しているが、前記領域Ｍに隠蔽層６が設けられている（前記領域Ｍが非接着領域とされている）ことによって、この領域Ｍが前記段差又は窪みに対応した商品の表面に貼り付かない。このため、皺を生じることなく、ＰＯＰラベル１を滑らかな曲線を以て商品に貼着できる（図１４参照）。
【００５９】
このＰＯＰラベル１をトリガースプレー容器９２から引き剥がすと、剥離層５及び切込み線４によって第２シート２２の所定部分２２ａがＰＯＰラベル１から分離され、ケース体９２２ｂの表面に貼り付いたままで残存する（図１５参照）。
本発明のラベル付き商品１０によれば、消費者がその商品を購入後にＰＯＰラベル１を引き剥がしても、商品の一面にＰＯＰラベル１の一部（所定部分２２ａ）が残るため、その所定部分２２ａに表された所望の表示（例えば商品の使用説明など。図１５の×××で示す）を商品に付随させ、消費者に見せることができる。また、ＰＯＰラベル１を商品から引き剥がすと、必然的に突出領域Ｔが商品から除去される一方で、残存する所定部分２２ａは商品の一面の範囲内に貼り付いているので、その商品の使用上、残存部分が邪魔になることもない。
【００６０】
＜他の実施形態＞
本発明は、上記第１及び第２実施形態に限られず、適宜設計変更することができる。以下、本発明の他の実施形態を説明するが、上記第１及び第２実施形態と同様の構成については、説明を省略し、用語及び符号を援用する場合がある。
【００６１】
上記実施形態において、ラベル基材２に貼着領域Ｓ１，Ｓ２及び突出領域Ｔを設ける方法として、第２シート２２の裏面全体に第２粘着剤層３２を設け且つその第２粘着剤層３２の裏面に隠蔽層６を部分的に設けるという方法を例示しているが、これに限定されない。例えば、第２シート２２の裏面のうち、貼着領域形成予定箇所にのみ粘着剤を塗布することによって、第２粘着剤層３２が露出した貼着領域Ｓ１，Ｓ２を形成することもできる。この場合、前記隠蔽層６の形成は不要となる。
【００６２】
上記実施形態において、仮止め手段として、第２シート２２の所定部分２２ａと第１シート２１の層間を部分的に接着する部分接着部７１を例示したが、仮止め手段は、これに限られない。
例えば、上記実施形態の切込み線４を、図１６に示すように、長い切り目からなる有端状の線が断続的に連続したもの（上記実施形態で示した無端状の切込み線の一部分に、切り目の途切れ部７２を形成したようなもの）に変更してもよい。仮止め手段に相当する前記途切れ部７２が設けられていれば、第２シート２２の所定部分２２ａは第２シート２２のその他の部分２２ｂと完全に分離されておらず、両部分２２ａ，２２ｂは途切れ部７２を介して繋がった状態である。このため、ＰＯＰラベル１を離型紙８から引き剥がすときに前記所定部分２２ａが第２シート２２から分離してしまう事態を防止できる。
【００６３】
前記途切れ部７２の形成数は、少なくとも１箇所であるが、その数が余りに多いと、商品に貼着したＰＯＰラベル１を引き剥がすときに、所定部分２２ａが商品に残存しなくなるおそれがある。このような点から、前記途切れ部７２は、３箇所以下が好ましい。途切れ部７２が複数設けられる場合、各途切れ部７２は、切込み線４の中に略均等に設けられていることが好ましい。また、少なくとも１つの途切れ部７２は、切込み線４の、離型紙８の長手方向の先端側Ｘに配置されていることが好ましい。また、１つの途切れ部７２の長さは、１ｍｍ〜３ｍｍ程度が好ましい。
なお、仮止め手段として、上記部分接着部７１及び途切れ部７２を併用してもよい。
【００６４】
また、上記実施形態においては、キャップ付き容器９１やトリガースプレー容器９２のトリガースプレー部９２に貼着するのに好適なＰＯＰラベル１を例示したが、本発明のＰＯＰラベル１は、貼着対象である商品に応じて、そのラベル基材２、貼着領域Ｓ１、突出領域Ｔ及び所定部分２２ａの各平面視形状を適宜変更できる。
【００６５】
図１７は、菓子などを包装した包装箱に貼着するのに好適なＰＯＰラベル１を示す。
このＰＯＰラベル１は、上記実施形態と同様に、第１シート２１及び第２シート２２が第１粘着剤層３１を介して積層されたラベル基材２を有し、このラベル基材２が平面視略矩形状に形成されている。
【００６６】
このラベル基材２には、離れて独立した３つの貼着領域（第１〜第３貼着領域Ｓ１，Ｓ２，Ｓ３）と、１つの突出領域Ｔとが形成されている。そのうち第１貼着領域Ｓ１及び第３貼着領域Ｓ３における第２シート２２のみにそれぞれ切込み線４が設けられている。この各切込み線４によって区画された、第２シート２２の各所定部分２２ａに対応して、剥離層５がそれぞれ設けられている。
この他の実施形態のＰＯＰラベル１は、突出領域Ｔを包装箱の一面の側部（例えば、包装箱の上側部）から外側に突出するように、包装箱の一面（例えば、直方体状の包装箱の正面）に第１〜第３貼着領域Ｓ１，Ｓ２，Ｓ３を全て貼着することによって使用される。
このＰＯＰラベル１を包装箱から引き剥がすと、第１貼着領域Ｓ１及び第３貼着領域Ｓ３における２つの所定部分２２ａが包装箱の一面に残存するので、ＰＯＰラベル１を除去した後に、より多くの表示を商品に付随させることができる。
【００６７】
また、上記実施形態において、切込み線４は貼着領域Ｓ１の周縁形状に沿って形成されているが、これに限られず、図１７に示すように、切込み線４が、貼着領域Ｓ１の周縁よりも内側で、その周縁形状とは異なる形状に形成されていてもよい。
【００６８】
さらに、上記実施形態において、複数の貼着領域のうち、少なくとも１つの貼着領域Ｓ１に対応した第２シート２２に切込み線４が形成され、且つ残る貼着領域Ｓ２には切込み線４が形成されていないが、複数の貼着領域の全てにそれぞれ上記切込み線４及び剥離層５が形成されていてもよい。
もっとも、ＰＯＰラベル１を安定的に商品に貼着するために、複数の貼着領域から選ばれる少なくとも１つの貼着領域Ｓ１に対応した第２シート２２に前記切込み線４が形成され、且つ、複数の貼着領域から選ばれる少なくとも１つの貼着領域Ｓ２に、前記切込み線４が形成されていないＰＯＰラベル１が好ましい。
【００６９】
また、上記実施形態においては、１つのＰＯＰラベル１に複数の貼着領域Ｓ１，Ｓ２，Ｓ３が設けられているが、図１８に示すように、ＰＯＰラベル１は貼着領域Ｓ１が１箇所だけ形成されているものでもよい。この場合、その貼着領域Ｓ１に対応した第２シート２２に切込み線４及び剥離層５が形成される。なお、図１８に示すＰＯＰラベル１は、平面視略Ｔ字状に形成されている。
【００７０】
なお、本発明の意図する範囲で、上記各実施形態に示した様々な構成を、適宜組み合わせ、又は、置換することができる。
【符号の説明】
【００７１】
１…ＰＯＰラベル、２…ラベル基材、２１…第１シート、２２…第２シート、２２ａ…第２シートの所定部分、２２ｂ…第２シートのその他の部分、３１…第１粘着剤層、３２…第２粘着剤層、４…切込み線、５…剥離層、６…隠蔽層、７１…部分接着部（仮止め手段）、７２…途切れ部（仮止め手段）、８…離型紙、９…商品、１０…ラベル付き商品、Ｓ１，Ｓ２，Ｓ３…貼着領域、Ｔ…突出領域
【図１】
0005691030.tif 000002
【図２】
0005691030.tif 000003
【図３】
0005691030.tif 000004
【図４】
0005691030.tif 000005
【図５】
0005691030.tif 000006
【図６】
0005691030.tif 000007
【図７】
0005691030.tif 000008
【図８】
0005691030.tif 000009
【図９】
0005691030.tif 000010
【図１０】
0005691030.tif 000011
【図１１】
0005691030.tif 000012
【図１２】
0005691030.tif 000013
【図１３】
0005691030.tif 000014
【図１４】
0005691030.tif 000015
【図１５】
0005691030.tif 000016
【図１６】
0005691030.tif 000017
【図１７】
0005691030.tif 000018
【図１８】
0005691030.tif 000019